(57)【要約】【課題】容易に適切な寸法の印刷物を作成できる印刷物作成装置を提供する。【解決手段】画像取得部１１は、画像データを取得する。画像データは、実空間において印刷された印刷物が配置される実印刷物領域が撮影された画像と、この画像が撮影された際の撮影情報と、を含む。領域決定部１３は、画像において、実印刷物領域に対応する領域である画像印刷物領域を決定する。サイズ算出部１４は、画像における画像印刷物領域の大きさと撮影情報とに基づいて、実空間における実印刷物領域のサイズを算出する。例えば撮影時のカメラの画角とカメラと被写体との距離が分かれば、画像における１ピクセル表す実空間の寸法が算出され得る。印刷制御部１６は、上述のようにして算出されたサイズの印刷物を印刷部５に印刷させる。【選択図】図２
2014184564.tif 000002
【特許請求の範囲】
【請求項１】
印刷された印刷物が配置される実印刷物領域を含む実空間が撮影された画像と当該画像が撮影された際の撮影情報とを取得する画像取得部と、
前記画像を表示する表示部と、
前記表示部に表示された前記画像において、前記実印刷物領域に対応する画像印刷物領域を決定する画像印刷物領域決定部と、
前記画像印刷物領域のピクセル数と前記画像のピクセル数と前記撮影情報とに基づいて、前記実印刷物領域のサイズを算出するサイズ算出部と、
前記実印刷物領域のサイズを有する前記印刷物を印刷する印刷部と、
を具備する、
ことを特徴とする印刷物作成装置。
【請求項２】
前記画像中の座標の指定を取得する座標取得部をさらに具備し、
前記画像印刷物領域決定部は、前記画像における前記座標を含む無地領域内に前記画像印刷物領域を決定する、
ことを特徴とする請求項１に記載の印刷物作成装置。
【請求項３】
前記画像印刷物領域決定部は、
複数の前記画像印刷物領域の候補を決定して提示する候補提示部と、
選択された前記候補を前記画像印刷物領域に決定する選択部と、
を含む、
ことを特徴とする請求項２に記載の印刷物作成装置。
【請求項４】
前記画像印刷物領域決定部は、前記座標の周辺に存在する枠を検出し、当該枠の位置に基づいて前記画像印刷物領域を決定する、
ことを特徴とする請求項２又は３に記載の印刷物作成装置。
【請求項５】
前記撮影情報は、前記撮影に用いられた光学系の画角と前記実印刷物領域までの距離との情報を含む、
ことを特徴とする請求項１乃至４のうちの何れか１項に記載の印刷物作成装置。
【請求項６】
前記表示部は、前記画像の前記画像印刷物領域に前記印刷を行う予定の前記印刷物のプレビュー画像を表示する、
ことを特徴とする請求項１乃至５のうちの何れか１項に記載の印刷物作成装置。
【請求項７】
前記画像はカレンダーの画像であり、
前記画像印刷物領域決定部は、前記カレンダーの日付枠の中で、文字及び図形が存在しない領域を前記画像印刷物領域として決定する、
ことを特徴とする請求項１乃至６のうちの何れか１項に記載の印刷物作成装置。
【請求項８】
印刷された印刷物が配置される実印刷物領域を含む実空間が撮影された画像と当該画像が撮影された際の撮影情報とを取得することと、
前記画像を表示することと、
表示された前記画像において、前記実印刷物領域に対応する画像印刷物領域を決定することと、
前記画像印刷物領域のピクセル数と前記画像のピクセル数と前記撮影情報とに基づいて、前記実印刷物領域のサイズを算出することと、
前記実印刷物領域のサイズを有する前記印刷物を印刷することと、
を具備する、
ことを特徴とする印刷物作成方法。
【請求項９】
印刷された印刷物が配置される実印刷物領域を含む実空間が撮影された画像と当該画像が撮影された際の撮影情報とを取得することと、
前記画像を表示することと、
表示された前記画像において、前記実印刷物領域に対応する前記画像における画像印刷物領域を決定することと、
前記画像印刷物領域のピクセル数と前記画像のピクセル数と前記撮影情報とに基づいて、前記実印刷物領域のサイズを算出することと、
前記実印刷物領域のサイズを有する前記印刷物を印刷することと、
をコンピュータに実行させる、
ことを特徴とする印刷物作成のためのプログラム。
【発明の詳細な説明】
【技術分野】
【０００１】
本発明は、印刷物作成装置、印刷物作成方法及び印刷物作成のためのプログラムに関する。
【背景技術】
【０００２】
粘着面と印字面とを有するテープに文字や図形を印字してラベルを作成するラベル作成装置が知られている。例えば特許文献１には、バーコードや商品情報等を印刷するラベルプリンターであって、自動的に行間隔を調整したり文字の向きを変更したりするラベルプリンターに係る技術が開示されている。
【先行技術文献】
【特許文献】
【０００３】
【特許文献１】特開平０７―０６８８５３号公報
【発明の概要】
【発明が解決しようとする課題】
【０００４】
一般に印刷物作成装置を用いてある特定の領域に貼るための印刷物を作成する場合には、印刷物を貼りたい領域の寸法を計測し、その寸法に応じて印刷物作成装置の設定を変更し、印刷物を作成する必要がある。このような寸法に係る設定は、ユーザにとって煩雑である。
【０００５】
そこで本発明は、容易に適切な寸法の印刷物を作成できる印刷物作成装置、印刷物作成方法及び印刷物作成のためのプログラムを提供することを目的とする。
【課題を解決するための手段】
【０００６】
前記目的を果たすため、本発明の印刷物作成装置の一態様は、印刷された印刷物が配置される実印刷物領域を含む実空間が撮影された画像と当該画像が撮影された際の撮影情報とを取得する画像取得部と、前記画像を表示する表示部と、前記表示部に表示された前記画像において、前記実印刷物領域に対応する画像印刷物領域を決定する画像印刷物領域決定部と、前記画像印刷物領域のピクセル数と前記画像のピクセル数と前記撮影情報とに基づいて、前記実印刷物領域のサイズを算出するサイズ算出部と、前記実印刷物領域のサイズを有する前記印刷物を印刷する印刷部と、を具備する、ことを特徴とする。
【０００７】
前記目的を果たすため、本発明の印刷物作成方法の一態様は、印刷された印刷物が配置される実印刷物領域を含む実空間が撮影された画像と当該画像が撮影された際の撮影情報とを取得することと、前記画像を表示することと、表示された前記画像において、前記実印刷物領域に対応する画像印刷物領域を決定することと、前記画像印刷物領域のピクセル数と前記画像のピクセル数と前記撮影情報とに基づいて、前記実印刷物領域のサイズを算出することと、前記実印刷物領域のサイズを有する前記印刷物を印刷することと、を具備する、ことを特徴とする。
【０００８】
前記目的を果たすため、本発明の印刷物作成のためのプログラムの一態様は、印刷された印刷物が配置される実印刷物領域を含む実空間が撮影された画像と当該画像が撮影された際の撮影情報とを取得することと、前記画像を表示することと、表示された前記画像において、前記実印刷物領域に対応する画像印刷物領域を決定することと、前記画像印刷物領域のピクセル数と前記画像のピクセル数と前記撮影情報とに基づいて、前記実印刷物領域のサイズを算出することと、前記実印刷物領域のサイズを有する前記印刷物を印刷することと、をコンピュータに実行させることを特徴とする。
【発明の効果】
【０００９】
本発明によれば、容易に適切な寸法の印刷物を作成できる印刷物作成装置、印刷物作成方法及び印刷物作成のためのプログラムを提供できる。
【図面の簡単な説明】
【００１０】
【図１】一実施形態に係る印刷物作成装置の外観の概略を示す図。
【図２】一実施形態に係る印刷物作成装置の構成例の概略を示すブロック図。
【図３】一実施形態に係る印刷物作成装置による印刷物印刷処理の一例を示すフローチャート。
【図４】一実施形態に係る印刷物作成装置が取得する画像の一例を示す図。
【図５】一実施形態に係る印刷物作成装置における印刷物領域の指定について説明するための図。
【図６Ａ】一実施形態に係る印刷物作成装置によって決定される印刷物領域候補の一例を示す図。
【図６Ｂ】一実施形態に係る印刷物作成装置によって決定される印刷物領域候補の一例を示す図。
【図６Ｃ】一実施形態に係る印刷物作成装置によって決定される印刷物領域候補の一例を示す図。
【図６Ｄ】一実施形態に係る印刷物作成装置によって決定される印刷物領域候補の一例を示す図。
【図７】一実施形態に係る印刷物作成装置によって決定される印刷物領域候補について説明するための図。
【図８】一実施形態に係る印刷物作成装置によって決定される印刷物領域候補について説明するための図。
【図９Ａ】一実施形態に係る印刷物作成装置によって決定される印刷物領域候補の一例を示す図。
【図９Ｂ】一実施形態に係る印刷物作成装置によって決定される印刷物領域候補の一例を示す図。
【図９Ｃ】一実施形態に係る印刷物作成装置によって決定される印刷物領域候補の一例を示す図。
【図９Ｄ】一実施形態に係る印刷物作成装置によって決定される印刷物領域候補の一例を示す図。
【発明を実施するための形態】
【００１１】
［第１の実施形態］
本発明の一実施形態について図面を参照して説明する。図１は、本実施形態に係る印刷物作成装置１の外観の一例を示す概略図である。印刷物作成装置１は、被印刷部材に任意の形状を有するパターンを印刷して印刷物を作成する装置である。被印刷部材としては、例えば、表面が印刷面であり裏面が粘着面である印刷テープと、粘着面に貼付された剥離テープと、が積層されたものでもよい。ここで、パターンには、例えば文字、図形、写真等が含まれる。操作部と印刷機構とが一体として設けられた印刷物作成装置１を用いることによって、ユーザは手軽に印刷物を作成することができる。
【００１２】
印刷物作成装置１の筐体９の上面には、表示部２と、キーボード４と、印刷部５と、が設けられている。また、筐体９には、図示しないが、パーソナルコンピュータ（ＰＣ）等の外部機器と接続するための入出力端子や、電源コードが接続される電源端子や、メモリーカード等の記録媒体が挿入される記録媒体接続部等も設けられている。
【００１３】
キーボード４は、文字データを入力する文字入力キー、印刷開始を指示する印刷キー、表示部２の表示画面上のカーソルを移動操作するカーソルキー、印刷モードの設定や各種設定処理を行う種々の制御キー等を含む。表示部２は、例えば液晶表示素子といった表示素子を含み、各種画像を表示する。表示部２は、例えば入力されたデータに関する画像、各種設定のための選択メニュー、各種処理に関するメッセージ等を表示する。本実施形態では、表示部２は、デジタルカメラ等で撮影され、印刷物作成装置１に読み込まれた画像も表示する。また、表示部２の表示画面には、タッチパネル３が設けられている。タッチパネル３は、ユーザによって押圧されたタッチ位置を取得する。印刷部５は、前述の被印刷部材に任意のパターンを印刷する印刷機構を含む。
【００１４】
本実施形態に係る印刷物作成装置１の機能に係る構成例を図２を参照して説明する。上述のとおり、印刷物作成装置１は、表示部２と、タッチパネル３と、キーボード４と、印刷部５と、を備える。印刷物作成装置１は、さらに、表示部２の表示を制御する表示制御部２ｃと、タッチパネル３の動作を制御するタッチパネル制御部３ｃと、記録媒体接続部６と、メモリ７と、印刷物作成装置１の各部の動作を制御する制御部１０と、を備える。
【００１５】
記録媒体接続部６には、記録媒体６ｂが取り外し可能に接続される。記録媒体接続部６には、例えば画像が記録された記録媒体６ｂが接続される。記録媒体６ｂに記録された画像は、記録媒体接続部６を介して制御部１０に取り込まれる。ここでは、記録媒体接続部６に記録媒体６ｂが接続される場合を示したが、記録媒体に限らず、例えばＵＳＢケーブル等のケーブルによってデジタルカメラやＰＣ等と接続されてもよい。
【００１６】
メモリ７は、ＲＡＭとＲＯＭとを含む。ＲＡＭは、制御部１０のワークメモリとして機能する。ＲＯＭは、制御部１０で実行する各種プログラム等を記憶する。また、メモリ７には、例えば記録媒体接続部６を介して読み込まれた画像データなども保存される。
【００１７】
制御部１０は、例えばＣＰＵ等の演算装置を含む。制御部１０には、画像取得部１１と、座標取得部１２と、領域決定部１３と、サイズ算出部１４と、パターンサイズ決定部１５と、印刷制御部１６と、を含む。
【００１８】
画像取得部１１は、例えば記録媒体接続部６を介して画像データを読み込む。この画像データには、印刷された印刷物が配置されるべき実印刷物領域を含む実空間が撮影された画像が含まれる。また、この画像データには、当該画像が撮影された際の撮影情報が含まれる。撮影情報にはカメラから被写体までの距離やカメラの画角等の情報が含まれ、これらの情報に基づくと画像に写った領域の実空間におけるサイズが算出され得る。
【００１９】
座標取得部１２は、上述の画像において印刷物が配置されるべき場所に係る座標をユーザから取得する。座標取得部１２は、例えば、タッチパネル３から信号を取得し、表示部２に表示された画像において、ユーザがタッチした位置の座標を取得する。
【００２０】
領域決定部１３は、画像において印刷物が配置されるべき領域を表す印刷物領域を決定する。領域決定部１３は、例えば座標取得部１２が取得した座標に基づいて、印刷物領域を決定する。この際、領域決定部１３は、例えばユーザに指定された座標の周辺に存在する矩形の枠を検出し、この枠の位置に基づいて印刷物領域を決定する。領域決定部１３は、候補提示部１３１と、選択部１３２と、を含む。候補提示部１３１は、印刷物領域の候補を複数決定する。制御部１０は、この複数の候補を例えば表示部２に表示することで、ユーザに提示する。選択部１３２は、例えばタッチパネル３から取得したユーザによるタッチに係る信号に基づいて、候補提示部１３１が提示した印刷物領域の候補からユーザが所望する印刷物領域を決定する。また、領域決定部１３は、ユーザによる例えばタッチパネル３で矩形を描く等の入力によって指定された領域を、印刷物領域として決定してもよい。
【００２１】
サイズ算出部１４は、画像における印刷物領域の大きさと撮影情報とに基づいて、印刷物が配置されるべき実印刷物領域のサイズを算出する。例えばサイズ算出部１４は、画像が撮影された際のカメラから被写体までの距離及びカメラの画角等の情報に基づいて、画像における１ピクセルと実空間における長さとの関係を算出する。この関係に基づいて、画像における印刷物領域から実印刷物領域のサイズを算出する。
【００２２】
パターンサイズ決定部１５は、サイズ算出部１４が算出した実印刷物領域のサイズに応じて、被印刷部材に印刷される例えば文字といったパターンのサイズを決定する。すなわち、パターンサイズ決定部１５は、例えばユーザが所望する印刷したい文字数と印刷物のサイズとの関係から、最適な文字サイズを決定する。印刷されるのは文字に限らないので、パターンサイズ決定部１５は、被印刷部材に印刷される例えば図形のサイズも同様に決定する。印刷制御部１６は、上述のようにしてデザインが決定された印刷物の印刷を行う印刷部５の動作を制御する。
【００２３】
本実施形態に係る印刷物作成装置１の印刷物印刷処理に係る動作について図３に示されるフローチャートを参照して説明する。ステップＳ１において、制御部１０は、例えば記録媒体接続部６を介して、記録媒体６ｂから画像データを読み込む。ここで、画像データは、実印刷物領域としての印刷物が貼り付けられる場所が撮影されることで得られた画像のデータを含む。また、この画像データは、例えばＥｘｉｆといった撮影に係る情報を含む。この撮影情報には、例えば画像の撮影に用いられたレンズの焦点距離や、撮影時のフォーカス位置の情報が含まれる。ユーザはこの画像データを例えばデジタルカメラや携帯電話を用いた撮影によって取得する。ここで撮影される画像として、例えば図４に示されるようなカレンダーが想定される。カレンダーにはしばしば予定等が記載され、この記載が次々と追加されるので、手軽に用いられる本実施形態のような印刷物作成装置１が用いられる場面としては適切である。なお、画像データは、記録媒体６ｂから読み込むのに限らず、例えばＵＳＢで接続された例えばデジタルカメラやＰＣといった機器からも取り込まれ得る。また、印刷物作成装置１は、一度外部から読み込んだ画像データをメモリ７に記憶しておくことができる。このとき、制御部１０は、メモリ７から画像データを読み込んでもよい。
【００２４】
ステップＳ２において、制御部１０は、ステップＳ１で取得した画像を表示部２に表示させる。この表示を見たユーザは、表示された画像において、作成した印刷物を貼付したい領域を指定する。この指定は、例えば表示部２に設けられたタッチパネル３をタッチすることで行われる。例えばユーザは、図５に示されるように、「６日」の枠を選択する。以後の説明では、ユーザが「６日」の枠内に貼付する印刷物を作成する場合を例に挙げて説明する。
【００２５】
ステップＳ３において、制御部１０は、タッチパネル３がタッチされたか否かを判定する。タッチされていないと判定されたとき、処理はステップＳ３に戻る。すなわち、タッチパネル３がタッチされるまで、処理は待機する。一方、タッチパネル３がタッチされたとき、処理はステップＳ４に進む。
【００２６】
ステップＳ４において、制御部１０は、タッチパネル３からタッチされた座標を取得し、画像においてタッチされた座標を表す指定座標を決定する。続いて制御部１０は、画像において、指定座標の周辺をスキャンする。ステップＳ５において、制御部１０は、指定座標の周辺は無地領域、すなわち、文字や図形が描かれていない領域であるか否かを判定する。無地領域でないと判定されたとき、処理はステップＳ３に戻る。一方、無地領域であると判定されたとき、処理はステップＳ６に進む。
【００２７】
本実施形態に係る印刷物作成装置１において、ユーザは印刷物を作成する領域である印刷物領域を自ら指定することもできるし、印刷物作成装置１に自動的に決定させることもできる。ユーザは、印刷物領域を自ら指定するか印刷物作成装置１に決定させるかを例えば表示部２に表示されるメニュー画面から選択することができる。
【００２８】
ステップＳ６において、制御部１０は、ユーザによって印刷物領域の指定がされるか否かを判定する。ユーザによる印刷物領域の指定がなされないと判定されたとき、処理はステップ７に進む。ステップＳ７において、制御部１０は、画像において指定座標の周辺をスキャンして、指定座標の周辺にある矩形の枠を検索する。ここで、枠を検索するのは、印刷物領域は枠を基準として設定された方が作成される印刷物の見栄えがよくなることが多いからである。
【００２９】
ステップＳ８において、制御部１０は、印刷物領域候補を設定する。ステップＳ７において指定座標を取り囲む枠が検出されたとき、検出された枠内であって、長手方向及び短手方向に対して例えば存在するテキスト等に印刷物が重ならないような矩形の領域が印刷物領域候補として設定される。例えば、枠内にテキスト等がないとき、ステップＳ７で検出された枠内が印刷物領域候補に設定される。また、例えば図４に示されるように、「６日」の枠内に「６」及び「同窓会」のようなテキストがあるとき、それらテキストに重ならない印刷物領域候補が設定される。
【００３０】
ステップＳ７において枠が検出され、枠内に「６」及び「同窓会」の記載がある場合、例えば図６Ａ乃至図６Ｄのような印刷物領域候補が設定される。図６Ａ乃至図６Ｄにおいて、斜線を付した領域が印刷物領域候補である。図６Ａは、「６」の数字の右脇に設定された印刷物領域候補を示す。図６Ｂは、「同窓会」の文字の右脇に設定された印刷物領域候補を示す。図６Ｃは、「６」の数字の下かつ「同窓会」の文字の上に設定された印刷物領域候補を示す。図６Ｄは、「６」の数字の右脇かつ「同窓会」文字の上に設定された印刷物領域候補を示す。このように、印刷物領域候補は、検出された枠を基準に設けられることで、見栄えがよくなる。
【００３１】
ステップＳ７において、指定座標を取り囲む枠が検出されなかった場合の例を説明する。この場合も、指定座標周辺で検出された枠を基準に設定されると、印刷物領域候補は見栄えが良くなる。例えばステップＳ１で読み込まれた画像データが図７のようなものであったとする。この画像において、例えば図８に示されるように、ユーザが座標を指定したとする。ここで、無地領域は、図８において、斜線を付して示されるような領域となる。この場合、無地領域には指定座標を取り囲む矩形の枠が存在しない。このとき、例えば図９Ａ乃至図９Ｄのような印刷物領域候補が設定され得る。図９Ａ乃至図９Ｄにおいて、斜線を付した領域が印刷物領域候補である。図９Ａは、無地領域の長手方向に関して左側の線から右側の線までが印刷物領域候補として設定された場合を示す。図９Ｂは、無地領域の長手方向に関して左側の線から右側の線まで、かつ、無地領域の短手方向に関して上側の線から下側の線までが印刷物領域候補として設定された場合を示す。図９Ｃは、無地領域の下に検出された枠の左脇であって無地領域の短手方向に関して上側の線から下側の線までが印刷物領域候補として設定された場合を示す。図９Ｄは、無地領域の下に検出された枠の上であって、長手方向の長さをこの枠と同じ長さとした領域が印刷物領域候補として設定された場合を示す。
【００３２】
図３に戻って説明を続ける。ステップＳ８において印刷物領域候補が設定されたら、ステップＳ９において、制御部１０は、設定された複数の印刷物領域候補を表示部２に表示させる。さらに、制御部１０は、例えば「印刷物をどのように貼りたいか選択してください。」といったメッセージを表示部２に表示させる。このようにして、表示した印刷物領域候補のうちからユーザが１つの印刷物領域を選択することが促される。このとき、ユーザは印刷物領域候補のうちから印刷物領域を選択する。例えばユーザは、タッチパネル３をタッチすることで表示された印刷物領域候補のうちの１つを選択してもよい。また、ユーザは、例えばキーボード４を用いて、表示部２に表示されたカーソルや印刷物領域候補になされたハイライト表示の位置を変更させつつ決定ボタンを押すことで、印刷物領域を決定してもよい。このように、ユーザは複数の印刷物領域候補のうちから好みの印刷物領域を選択することができる。
【００３３】
ステップＳ１０において、制御部１０は、ユーザの選択を取得する。すなわち、制御部１０は、例えばタッチパネル３やキーボード４からユーザの入力を取得する。制御部１０は、ユーザによる入力に基づいて、印刷物領域を決定する。例えば図６Ａ乃至図６Ｄのような印刷物領域候補のうちの１つが印刷物領域として決定される。その後処理はステップＳ１２に進む。
【００３４】
ステップＳ６の判定において、ユーザによって印刷物領域が指定されると判定されたとき、処理はステップＳ１１に進む。ステップＳ１１において、制御部１０は、例えばタッチパネル３を用いて入力されるユーザによる印刷物領域の指定を取得する。ユーザによる印刷物領域の指定は、タッチパネル３を用いて行われなくても、例えばキーボード４を用いて行われてもよい。このようにして制御部１０は、ユーザによって指定された領域を印刷物領域として決定する。その後、処理はステップＳ１２に進む。
【００３５】
ステップＳ１２において、制御部１０は、印刷物領域への文字入力を受け付ける。このとき、制御部１０は、例えば「文字を入力してください。」等と表示しつつ、印刷物領域を表す矩形を示す。ユーザは例えばキーボードを用いてこの印刷物領域を表す矩形内に文字を入力していく。例えばカレンダーに貼る印刷物の場合、予定を表す文字が入力される。ユーザによる文字入力が終了したら処理はステップＳ１３に進む。
【００３６】
ステップＳ１３において、制御部１０は、例えばＥｘｉｆといった画像データの撮影情報を読み込む。この撮影情報には、例えば画像の撮影に用いられた画角を表すレンズの焦点距離や、被写体までの距離を表す撮影時のフォーカス位置の情報が含まれる。ステップＳ１４において、制御部１０は、読み込んだ撮影情報に基づいて、印刷物領域のサイズを算出する。撮影情報に含まれるレンズの焦点距離、すなわち撮影時の画角と、フォーカス位置、すなわち撮影時のカメラから被写体までの距離が特定されれば、画像におけるサイズ（ピクセル数）と被写体における実際のサイズとの関係が特定される。したがって、画像における印刷物領域に対応する実空間において印刷物が貼り付けられる実印刷物領域のサイズが算出され得る。制御部１０は、この実印刷物領域のサイズを算出する。すなわち、制御部１０は、印刷物の被印刷部材の長さ及び被印刷部材の幅を算出する。制御部１０は、入力された文字数と印刷物の実寸とに基づいて、被印刷部材に印刷する文字のサイズを算出する。制御部１０は、サイズが算出された被印刷部材内にステップＳ１２で入力された文字が収まるような文字サイズを決定する。
【００３７】
ステップＳ１５において、制御部１０は、印刷物のプレビュー表示を行う。このプレビュー表示は、印刷物のみのプレビュー表示、すなわち、印刷物の大きさに対する文字の大きさが分かるような表示でもよい。また、プレビュー表示は、印刷物を含む印刷物領域周辺のプレビュー表示、すなわち、例えば上述のカレンダーの「６日」の枠内のレイアウトを示す表示でもよい。また、プレビュー表示は、印刷物を含む画像全体のプレビュー表示、すなわち、例えば図４に示されるようなカレンダーにおける印刷物のレイアウトを示す表示でもよい。プレビュー表示によって、ユーザは印刷前に印刷物の仕上がりを確認することができる。
【００３８】
ステップＳ１６において、制御部１０は、ステップＳ１５で算出された実印刷物領域のサイズに基づいて、印刷物作成装置１に装着されるべき被印刷部材の幅を表示部２に表示させる。例えば、制御部１０は、表示部２に「１８ｍｍテープをセットしてください。」等と表示させる。例えば、ユーザは、この表示に従って、印刷物作成装置１に指定のテープをセットし、印刷開始の指示を入力する。印刷開始の指示が入力されたとき、ステップＳ１７において、制御部１０は、印刷部５に印刷物領域に係る印刷物の印刷を行わせる。印刷部５は、上述のようにしてデザインされた印刷物を印刷する。以上によって印刷物印刷処理は終了する。
【００３９】
本実施形態によれば、印刷物を貼りたい場所の広さに応じた最適なサイズの印刷物が容易に作成される。このときユーザは、印刷物を貼りたい場所をデジタルカメラ等で撮影し、表示部２に表示されたその画像においてタッチパネル３で印刷物を貼りたい場所を選択し、被印刷部材に印刷する文字を入力するだけでよい。また、本実施形態によれば、印刷物のサイズと入力された文字数等とに基づいて、文字サイズも自動的に設定される。本実施形態によれば、ユーザは、手間をかけずに容易に適切な寸法を有する印刷物を作成できる。すなわち、ユーザは、印刷物を作成する場所のサイズを測定し、そのサイズに合わせたレイアウトや文字サイズを自ら設定することから解放される。
【００４０】
画像データは、メモリ７に記憶され何度も読み出されてもよい。例えば例示したようなカレンダーに貼られる印刷物は、予定が決まるごとに次々と作成されることが想定される。このような場合、ユーザは、印刷物作成の度にカレンダーを撮影したり、デジタルカメラから画像データを読み出したりする必要がなくなり、容易に繰り返し印刷物の作成を行うことができる。この際、図６Ａ乃至図６Ｄに示されるような印刷物領域候補の中から、その都度適宜希望の印刷物領域を選択することができる。
【００４１】
本実施形態では、文字を印刷する場合を例に挙げて説明したが、被印刷部材に印刷されるのは文字に限らないことはもちろんである。文字以外にも図形や写真等の画像でもよい。本実施形態では、表示部２や印刷部５が一体として設けられた印刷物作成装置１を例に挙げて説明したが、例えばプリンタが外付けされたＰＣや、無線ネットワークを介してプリンタと接続しているスマートフォン等によっても同様の機能は実現される。
【００４２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除しても、発明が解決しようとする課題の欄で述べられた課題が解決でき、かつ、発明の効果が得られる場合には、この構成要素が削除された構成も発明として抽出され得る。
【００４３】
以下に、本願出願の当初の特許請求の範囲に記載された発明を付記する。  
［１］
印刷された印刷物が配置される実印刷物領域を含む実空間が撮影された画像と当該画像が撮影された際の撮影情報とを取得する画像取得部と、
前記画像を表示する表示部と、
前記表示部に表示された前記画像において、前記実印刷物領域に対応する画像印刷物領域を決定する画像印刷物領域決定部と、
前記画像印刷物領域のピクセル数と前記画像のピクセル数と前記撮影情報とに基づいて、前記実印刷物領域のサイズを算出するサイズ算出部と、
前記実印刷物領域のサイズを有する前記印刷物を印刷する印刷部と、
を具備する、
ことを特徴とする印刷物作成装置。  
［２］
前記画像中の座標の指定を取得する座標取得部をさらに具備し、
前記画像印刷物領域決定部は、前記画像における前記座標を含む無地領域内に前記画像印刷物領域を決定する、
ことを特徴とする［１］に記載の印刷物作成装置。  
［３］
前記画像印刷物領域決定部は、
複数の前記画像印刷物領域の候補を決定して提示する候補提示部と、
選択された前記候補を前記画像印刷物領域に決定する選択部と、
を含む、
ことを特徴とする［２］に記載の印刷物作成装置。  
［４］
前記画像印刷物領域決定部は、前記座標の周辺に存在する枠を検出し、当該枠の位置に基づいて前記画像印刷物領域を決定する、
ことを特徴とする［２］又は［３］に記載の印刷物作成装置。  
［５］
前記撮影情報は、前記撮影に用いられた光学系の画角と前記実印刷物領域までの距離との情報を含む、
ことを特徴とする［１］乃至［４］のうちの何れか一に記載の印刷物作成装置。  
［６］
前記表示部は、前記画像の前記画像印刷物領域に前記印刷を行う予定の前記印刷物のプレビュー画像を表示する、
ことを特徴とする［１］乃至［５］のうちの何れか一に記載の印刷物作成装置。  
［７］
前記画像はカレンダーの画像であり、
前記画像印刷物領域決定部は、前記カレンダーの日付枠の中で、文字及び図形が存在しない領域を前記画像印刷物領域として決定する、
ことを特徴とする［１］乃至［６］のうちの何れか一に記載の印刷物作成装置。  
［８］
印刷された印刷物が配置される実印刷物領域を含む実空間が撮影された画像と当該画像が撮影された際の撮影情報とを取得することと、
前記画像を表示することと、
表示された前記画像において、前記実印刷物領域に対応する画像印刷物領域を決定することと、
前記画像印刷物領域のピクセル数と前記画像のピクセル数と前記撮影情報とに基づいて、前記実印刷物領域のサイズを算出することと、
前記実印刷物領域のサイズを有する前記印刷物を印刷することと、
を具備する、
ことを特徴とする印刷物作成方法。  
［９］
印刷された印刷物が配置される実印刷物領域を含む実空間が撮影された画像と当該画像が撮影された際の撮影情報とを取得することと、
前記画像を表示することと、
表示された前記画像において、前記実印刷物領域に対応する画像印刷物領域を決定することと、
前記画像印刷物領域のピクセル数と前記画像のピクセル数と前記撮影情報とに基づいて、前記実印刷物領域のサイズを算出することと、
前記実印刷物領域のサイズを有する前記印刷物を印刷することと、
をコンピュータに実行させる、
ことを特徴とする印刷物作成のためのプログラム。
【符号の説明】
【００４４】
１…印刷物作成装置、２…表示部、２ｃ…表示制御部、３…タッチパネル、３ｃ…タッチパネル制御部、４…キーボード、５…印刷部、６…記録媒体接続部、６ｂ…記録媒体、７…メモリ、９…筐体、１０…制御部、１１…画像取得部、１２…座標取得部、１３…領域決定部、１３１…候補提示部、１３２…選択部、１４…サイズ算出部、１５…パターンサイズ決定部、１６…印刷制御部。
【図１】
2014184564.tif 000003
【図２】
2014184564.tif 000004
【図３】
2014184564.tif 000005
【図４】
2014184564.tif 000006
【図５】
2014184564.tif 000007
【図６Ａ】
2014184564.tif 000008
【図６Ｂ】
2014184564.tif 000009
【図６Ｃ】
2014184564.tif 000010
【図６Ｄ】
2014184564.tif 000011
【図７】
2014184564.tif 000012
【図８】
2014184564.tif 000013
【図９Ａ】
2014184564.tif 000014
【図９Ｂ】
2014184564.tif 000015
【図９Ｃ】
2014184564.tif 000016
【図９Ｄ】
2014184564.tif 000017